(57)【要約】【課題】通信状態が良好な無線インターフェース部を簡便かつ適切に選択し、無線通信方式が異なる通信システム間でシームレスなハンドオーバを行う通信端末を提供する。【解決手段】所定のアドレス体系のネットワークにおいて、２つの異なる無線通信方式を選択的に使用してパケット通信を行う通信端末であって、所定のアドレス体系における第１アドレスが割り当てられ、第１無線通信方式で無線通信を行う第１無線通信部と、所定のアドレス体系における第２アドレスが割り当てられ、第２無線通信方式で無線通信を行う第２無線通信部と、第１無線通信部及び第２無線通信部のうち、通信状態が良好な無線通信部を選択する通信方式選択部と、送信するパケットの送信元アドレスを、通信方式選択部が選択した第１無線通信部又は第２無線通信部に割り当てられた第１アドレス又は第２アドレスを送信元アドレスとするアドレス変換部とを備える。【選択図】　図１
2004129079.tif 000002
【特許請求の範囲】
【請求項１】
所定のアドレス体系のネットワークにおいて、２つの異なる無線通信方式を選択的に使用してパケット通信を行う通信端末であって、
前記所定のアドレス体系における第１アドレスが割り当てられ、第１無線通信方式で無線通信を行う第１無線通信部と、
前記所定のアドレス体系における第２アドレスが割り当てられ、第２無線通信方式で無線通信を行う第２無線通信部と、
前記第１無線通信部及び前記第２無線通信部のうち、通信状態が良好な無線通信部を選択する通信方式選択部と、
送信するパケットの送信元アドレスを、前記通信方式選択部が選択した前記第１無線通信部又は前記第２無線通信部に割り当てられた前記第１アドレス又は前記第２アドレスを送信元アドレスとするアドレス変換部と
を備えることを特徴とする通信端末。
【請求項２】
第１アドレス体系の内部ネットワークと第２アドレス体系の外部ネットワークとを接続する中継機器と、前記内部ネットワークにおいて無線通信を行う第１無線基地局及び第２無線基地局とを備える通信システムにおいて、前記内部ネットワークにおいて前記第１無線基地局又は前記第２無線基地局と無線通信を行い、前記第１無線基地局又は前記第２無線基地局及び前記中継装置を介して前記外部ネットワークにおける通信を行う通信端末であって、
前記第１アドレス体系のアドレスである第１内部アドレスが割り当てられ、前記内部ネットワークにおいて第１無線通信方式で前記第１無線基地局と無線通信を行う第１無線通信部と、
前記第１アドレス体系のアドレスである第２内部アドレスが割り当てられ、前記内部ネットワークにおいて第２無線通信方式で前記第２無線基地局と無線通信を行う第２無線通信部と、
前記第１無線通信部及び前記第２無線通信部のうち、通信状態が良好な無線通信部を選択する通信方式選択部と、
前記第２アドレス体系のアドレスである外部アドレスをデータとして含むパケットの送信元アドレスを、前記通信方式選択部が選択した前記第１無線通信部又は前記第２無線通信部に割り当てられた前記第１内部アドレス又は前記第２内部アドレスとして、前記第１無線通信部又は前記第２無線通信部に前記第１無線基地局又は前記第２無線基地局を介して前記中継装置に対して送信させるアドレス変換部と
を備えることを特徴とする通信端末。
【請求項３】
通信システムであって、
第１アドレス体系の内部ネットワークと第２アドレス体系の外部ネットワークとを接続する中継装置と、
前記内部ネットワーク内において前記中継装置に接続され、第１無線通信方式で無線通信を行う第１無線基地局と、
前記内部ネットワーク内において前記中継装置に接続され、第２無線通信方式で無線通信を行う第２無線基地局と、
前記第１無線基地局又は前記第２無線基地局と無線通信を行い、前記第１無線基地局又は前記第２無線基地局と前記中継装置とを介して、前記外部ネットワークにおけるパケット通信を行う、前記第２アドレス体系のアドレスである外部アドレスが割り当てられた通信端末と
を備え、
前記通信端末は、
前記第１アドレス体系のアドレスである第１内部アドレスが割り当てられ、前記第１無線通信方式で前記第１無線基地局と無線通信を行う第１無線通信部と、
前記第１アドレス体系のアドレスである第２内部アドレスが割り当てられ、前記第２無線通信方式で前記第２無線基地局と無線通信を行う第２無線通信部と、
前記第１無線通信部及び前記第２無線通信部のうち、通信状態が良好な無線通信部を選択する通信方式選択部と、
前記外部アドレスをデータとして含むパケットの送信元アドレスを、前記通信方式選択部が選択した前記第１無線通信部又は前記第２無線通信部に割り当てられた前記第１内部アドレス又は前記第２内部アドレスとして、前記第１無線通信部又は前記第２無線通信部に送信させる通信端末アドレス変換部と
を有し、
前記中継装置は、
前記外部ネットワークにおける通信を行う外部通信部と、
前記内部ネットワークにおける通信を行う内部通信部と、
前記内部通信部が前記第１無線基地局又は前記第２無線基地局から取得した前記パケットの送信元アドレスを、前記パケットが含む前記外部アドレスとして、前記外部通信部に送信させる中継装置アドレス変換部と
を有することを特徴とする通信システム。
【発明の詳細な説明】
【０００１】
【発明の属する技術分野】
本発明は、通信端末及び通信システムに関する。特に本発明は、２つの異なる無線通信方式を選択的に使用してパケット通信を行う通信端末に関する。
【０００２】
【従来の技術】
近年のインターネットの普及に伴い、無線ＬＡＮ（Ｌｏｃａｌ　Ａｒｅａ　Ｎｅｔｗｏｒｋ）システム、ＰＨＳ（Ｐｅｒｓｏｎａｌ　Ｈａｎｄｙｐｈｏｎｅ　Ｓｙｓｔｅｍ）等の様々な通信システムの技術が発展している。そのため、様々な通信システムのそれぞれの通信方式に適合する複数の通信インターフェースを有し、通信環境に基づいて通信インターフェースを自動的に切り換えて通信を行う通信端末が提案されている（例えば、特許文献１参照。）。
【０００３】
【特許文献１】
特開２００１−３０９４４５号公報（第１図）
【０００４】
【発明が解決しようとする課題】
通信方式が異なる複数の通信システムを選択的に使用する場合、異なる通信システム間でシームレスなハンドオーバを行う必要があり、そのためには通信システムに合った通信インターフェースを簡便かつ適切に選択することが課題となる。
【０００５】
そこで本発明は、上記の課題を解決することのできる通信端末及び通信システムを提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の第１の形態によると、通信端末は、所定のアドレス体系のネットワークにおいて、２つの異なる無線通信方式を選択的に使用してパケット通信を行う。通信端末は、所定のアドレス体系における第１アドレスが割り当てられ、第１無線通信方式で無線通信を行う第１無線通信部と、所定のアドレス体系における第２アドレスが割り当てられ、第２無線通信方式で無線通信を行う第２無線通信部と、第１無線通信部及び第２無線通信部のうち、通信状態が良好な無線通信部を選択する通信方式選択部と、送信するパケットの送信元アドレスを、通信方式選択部が選択した第１無線通信部又は第２無線通信部に割り当てられた第１アドレス又は第２アドレスを送信元アドレスとするアドレス変換部とを備える。
【０００７】
本発明の第２の形態によると、通信端末は、第１アドレス体系の内部ネットワークと第２アドレス体系の外部ネットワークとを接続する中継機器と、内部ネットワークにおいて無線通信を行う第１無線基地局及び第２無線基地局とを備える通信システムにおいて、内部ネットワークにおいて第１無線基地局又は第２無線基地局と無線通信を行い、第１無線基地局又は第２無線基地局及び中継装置を介して外部ネットワークにおける通信を行う。
【０００８】
通信端末は、第１アドレス体系のアドレスである第１内部アドレスが割り当てられ、内部ネットワークにおいて第１無線通信方式で第１無線基地局と無線通信を行う第１無線通信部と、第１アドレス体系のアドレスである第２内部アドレスが割り当てられ、内部ネットワークにおいて第２無線通信方式で第２無線基地局と無線通信を行う第２無線通信部と、第１無線通信部及び第２無線通信部のうち、通信状態が良好な無線通信部を選択する通信方式選択部と、第２アドレス体系のアドレスである外部アドレスをデータとして含むパケットの送信元アドレスを、通信方式選択部が選択した第１無線通信部又は第２無線通信部に割り当てられた第１内部アドレス又は第２内部アドレスとして、第１無線通信部又は第２無線通信部に第１無線基地局又は第２無線基地局を介して中継装置に対して送信させるアドレス変換部とを備える。
【０００９】
本発明の第３の形態によると、通信システムは、第１アドレス体系の内部ネットワークと第２アドレス体系の外部ネットワークとを接続する中継装置と、内部ネットワーク内において中継装置に接続され、第１無線通信方式で無線通信を行う第１無線基地局と、内部ネットワーク内において中継装置に接続され、第２無線通信方式で無線通信を行う第２無線基地局と、第１無線基地局又は第２無線基地局と無線通信を行い、第１無線基地局又は第２無線基地局と中継装置とを介して、外部ネットワークにおけるパケット通信を行う、第２アドレス体系のアドレスである外部アドレスが割り当てられた通信端末とを備える。
【００１０】
通信端末は、第１アドレス体系のアドレスである第１内部アドレスが割り当てられ、第１無線通信方式で第１無線基地局と無線通信を行う第１無線通信部と、第１アドレス体系のアドレスである第２内部アドレスが割り当てられ、第２無線通信方式で第２無線基地局と無線通信を行う第２無線通信部と、第１無線通信部及び第２無線通信部のうち、通信状態が良好な無線通信部を選択する通信方式選択部と、外部アドレスをデータとして含むパケットの送信元アドレスを、通信方式選択部が選択した第１無線通信部又は第２無線通信部に割り当てられた第１内部アドレス又は第２内部アドレスとして、第１無線通信部又は第２無線通信部に送信させる通信端末アドレス変換部とを有する。
【００１１】
中継装置は、外部ネットワークにおける通信を行う外部通信部と、内部ネットワークにおける通信を行う内部通信部と、内部通信部が第１無線基地局又は第２無線基地局から取得したパケットの送信元アドレスを、パケットが含む外部アドレスとして、外部通信部に送信させる中継装置アドレス変換部とを有する。
【００１２】
なお上記の発明の概要は、本発明の必要な特徴の全てを列挙したものではなく、これらの特徴群のサブコンビネーションも又発明となりうる。
【００１３】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００１４】
図１は、本発明の一実施形態に係る通信システムの構成の一例を示す。通信システムは、ローカル網とグローバル網とを接続するゲートウェイＧＷ１００と、ローカル網内においてゲートウェイＧＷ１００に接続され、無線ＬＡＮ通信方式で無線通信を行う無線ＬＡＮアクセスポイントＡＰ２００と、ローカル網内においてゲートウェイＧＷ１００に接続され、ＰＨＳ通信方式で無線通信を行うＰＨＳ親局ＣＳ３００と、無線ＬＡＮアクセスポイントＡＰ２００又はＰＨＳ親局ＣＳ３００と無線通信を行うマルチサービス端末ＭＳ４００とを備える。マルチサービス端末ＭＳ４００は、グローバルＩＰアドレス体系のアドレスであるグローバルＩＰアドレスが割り当てられ、無線ＬＡＮアクセスポイントＡＰ２００又はＰＨＳ親局ＣＳ３００とゲートウェイＧＷ１００とを介して、グローバル網におけるパケット通信を行う。
【００１５】
マルチサービス端末ＭＳ４００は、ローカルＩＰアドレス体系のアドレスである第１ローカルＩＰアドレスが割り当てられ、無線ＬＡＮ通信方式で無線ＬＡＮアクセスポイントＡＰ２００と無線通信を行う無線ＬＡＮインターフェース部４０２と、第１ローカルＩＰアドレスと異なる第２ローカルＩＰアドレスが割り当てられ、ＰＨＳ通信方式でＰＨＳ親局ＣＳ３００と無線通信を行うＰＨＳインターフェース部４０４と、無線ＬＡＮインターフェース部４０２及びＰＨＳインターフェース部４０４のうち、通信状態が良好な無線インターフェース部を選択する通信方式選択部４０６と、マルチサービス端末ＭＳ４００に割り当てられたグローバルＩＰアドレスを宛先アドレスとするパケットを生成するアプリケーション部４０８と、アプリケーション部４０８が生成したパケットに通信方式選択部４０６が選択した無線ＬＡＮアクセスポイントＡＰ２００又はＰＨＳ親局ＣＳ３００に割り当てられた第１ローカルＩＰアドレス又は第２ローカルＩＰアドレスを付加して、無線ＬＡＮインターフェース部４０２又はＰＨＳインターフェース部４０４に送信させるアドレス変換部４１０とを備える。即ち、アドレス変換部４１０は、マルチサービス端末ＭＳ４００に割り当てられたグローバルＩＰアドレスをデータとして含むパケットの送信元アドレスを、通信方式選択部４０６が選択した無線ＬＡＮアクセスポイントＡＰ２００又はＰＨＳ親局ＣＳ３００に割り当てられた第１ローカルＩＰアドレス又は第２ローカルＩＰアドレスとして、無線ＬＡＮインターフェース部４０２又はＰＨＳインターフェース部４０４に無線ＬＡＮアクセスポイントＡＰ２００又はＰＨＳ親局ＣＳ３００を介してゲートウェイＧＷ１００に対して送信させる。
【００１６】
ゲートウェイＧＷ１００は、グローバル網における通信を行うグローバルＩＰ処理部１０２と、ローカル網における通信を行うローカルＩＰ処理部１０４と、ローカルＩＰ処理部１０４が無線ＬＡＮアクセスポイントＡＰ２００又はＰＨＳ親局ＣＳ３００から取得したパケットの送信元アドレスを、パケットがデータとして含むグローバルＩＰアドレスとして、グローバルＩＰ処理部１０２に送信させるアドレス変換部１０６と、アドレス変換部１０６が変換したローカルＩＰアドレスとグローバルＩＰアドレスとを対応づけて格納するアドレス格納部１０８とを備える。
【００１７】
本実施形態の通信システムによれば、マルチサービス端末ＭＳ４００は、所定のアドレス体系のネットワークにおいて、２つの異なる無線通信方式を選択的に使用し、通信状態が良好な無線通信方式でパケット通信を行うことができる。
【００１８】
なお、ローカル網は、本発明の第１アドレス体系の内部ネットワークの一例であり、グローバル網は、本発明の第２アドレス体系の外部ネットワークの一例である。具体的には、ローカル網はローカルＩＰアドレス体系であり、グローバル網はグローバルＩＰアドレス体系である。グローバルＩＰアドレスは、本発明の外部アドレスの一例であり、ローカルＩＰアドレスは、本発明の内部アドレスの一例である。
【００１９】
また、無線ＬＡＮアクセスポイントＡＰ２００は、本発明の第１無線基地局の一例であり、無線ＬＡＮ通信方式は、本発明の第１無線通信方式の一例である。無線ＬＡＮ通信方式は、例えばＩＥＥＥ８０２．１１で規定された方式である。また、ＰＨＳ親局ＣＳ３００は、本発明の第２無線基地局の一例であり、ＰＨＳ通信方式は、本発明の第２無線通信方式の一例である。
【００２０】
また、マルチサービス端末ＭＳ４００は、本発明の通信端末の一例である。無線ＬＡＮインターフェース部４０２は、本発明の第１無線通信部の一例であり、ＰＨＳインターフェース部４０４は、本発明の第２無線通信部の一例である。アドレス変換部４１０は、本発明の通信端末アドレス変換部の一例である。
【００２１】
また、ゲートウェイＧＷ１００は、本発明の中継装置の一例である。グローバルＩＰ処理部１０２は、本発明の外部通信部の一例であり、ローカルＩＰ処理部１０４は、本発明の内部通信部の一例である。アドレス変換部１０６は、本発明の中継装置アドレス変換部の一例である。
【００２２】
図２は、本実施形態に係る通信システムにおいて授受されるパケットのデータフォーマットを示す。図３は、本実施形態に係るアドレス格納部１０８のデータフォーマットの一例を示す。アプリケーション部４０８は、マルチサービス端末ＭＳ４００に割り当てられたグローバルＩＰアドレスを送信元アドレスとするグローバルＩＰヘッダ６００をＩＰデータ６０２に付加し、グローバルＩＰパケット６０４を生成してアドレス変換部４１０に供給する。グローバルＩＰヘッダ６００は、グローバルＩＰパケット６０４のヘッダ部となり、ＩＰデータ６０２は、グローバルＩＰパケット６０４のデータ部となる。
【００２３】
アドレス変換部４１０は、アプリケーション部４０８から取得したグローバルＩＰパケット６０４をカプセル化し、無線ＬＡＮインターフェース部４０２又はＰＨＳインターフェース部４０４に割り当てられたローカルＩＰアドレスを送信元アドレスとするローカルＩＰヘッダ６０６をグローバルＩＰパケットに付加し、ローカルＩＰパケット６０８を生成して無線ＬＡＮインターフェース部４０２又はＰＨＳインターフェース部４０４に供給する。ローカルＩＰヘッダ６０６は、ローカルＩＰパケット６０８のヘッダ部となり、グローバルＩＰヘッダ６００及びＩＰデータ６０２は、ローカルＩＰパケットのデータ部となる。
【００２４】
また、アドレス変換部４１０は、無線ＬＡＮインターフェース部４０２又はＰＨＳインターフェース部４０４から取得したローカルＩＰパケット６０８のローカルＩＰヘッダ６０６を取り除き、グローバルＩＰパケット６０８を生成してアプリケーション部４０８に供給する。
【００２５】
アドレス変換部１０８は、ローカルＩＰ処理部１０４から取得したローカルＩＰパケット６０８のローカルＩＰヘッダ６０６を取り除き、グローバルＩＰパケット６０４を生成してグローバルＩＰ処理部１０２に供給する。このとき、図３に示すように、アドレス格納部１０８は、グローバルＩＰヘッダ６００の送信元アドレスである、マルチサービス端末ＭＳ４００に割り当てられたグローバルＩＰアドレスと、ローカルＩＰヘッダ６０６の送信元アドレスである、無線ＬＡＮインターフェース部４０２又はＰＨＳインターフェース部４０４に割り当てられたローカルＩＰアドレスとを対応づけて格納する。
【００２６】
また、アドレス変換部１０８は、グローバルＩＰ処理部１０２から取得したグローバルＩＰパケット６０４をカプセル化し、アドレス格納部１０８がグローバルＩＰヘッダ６００の送信元アドレスに対応づけて格納するローカルＩＰアドレスを送信元アドレスとするローカルＩＰヘッダ６０６をグローバルＩＰパケット６０４に付加し、ローカルＩＰパケット６０８を生成してローカルＩＰ処理部１０４に供給する。
【００２７】
本実施形態の通信システムによれば、マルチサービス端末ＭＳ４００は、ローカル網内に配置されて通信する場合であっても、割り当てられたグローバルＩＰアドレスを用いてグローバル網においてパケット通信を行うことができる。
【００２８】
図４は、本実施形態に係る通信方式選択部４０６による通信方式の選択方法の一例を示す。図４に示すグラフは、マルチサービス端末ＭＳ４００の場所と、無線ＬＡＮアクセスポイントＡＰ２００又はＰＨＳ親局ＣＳ３００が発生する電界レベルとの関係を示す。また、通信方式選択部４０６による無線インターフェース部の選択の指標となる電界レベルの閾値を示す。
【００２９】
通信方式選択部４０６は、無線ＬＡＮインターフェース部４０２が無線ＬＡＮアクセスポイントＡＰ２００から受信する電界レベルと、ＰＨＳインターフェース部４０４がＰＨＳ親局ＣＳ３００から受信する電界レベルとを検出する。そして、通信方式選択部４０６は、無線ＬＡＮインターフェース部４０２及びＰＨＳインターフェース部４０４のうち、受信する電界レベルが大きい無線インターフェース部の通信状態が良好であると判断して選択する。
【００３０】
例えば、マルチサービス端末ＭＳ４００がＡの場所に存在する場合、無線ＬＡＮアクセスポイントＡＰ２００から受信する電界レベルは閾値より大きく、ＰＨＳインターフェース部４０４から受信する電界レベルは閾値より小さいので、通信方式選択部４０６は、無線ＬＡＮインターフェース部４０２を選択する。そして、アドレス変換部４１０は、無線ＬＡＮインターフェース部４０２に割り当てられたローカルＩＰアドレスを送信元アドレスとして、ローカルＩＰパケットを無線ＬＡＮインターフェース部４０２から無線ＬＡＮアクセスポイントＡＰ２００に送信させる。また、マルチサービス端末ＭＳ４００がＢの場所に存在する場合、無線ＬＡＮアクセスポイントＡＰ２００から受信する電界レベルは閾値より小さく、ＰＨＳインターフェース部４０４から受信する電界レベルは閾値より大きいので、通信方式選択部４０６は、ＰＨＳインターフェース部４０４を選択する。そして、アドレス変換部４１０は、ＰＨＳインターフェース部４０４に割り当てられたローカルＩＰアドレスを送信元アドレスとして、ローカルＩＰパケットをＰＨＳインターフェース部４０４からＰＨＳ親局ＣＳ３００に送信させる。
【００３１】
他の例においては、通信方式選択部４０６は、無線ＬＡＮインターフェース部４０２と無線ＬＡＮアクセスポイントＡＰ２００との通信のエラーレート、及びＰＨＳインターフェース部４０４とＰＨＳ親局ＣＳ３００との通信のエラーレートを検出してもよい。そして、通信方式選択部４０６は、無線ＬＡＮインターフェース部４０２及びＰＨＳインターフェース部４０４のうち、エラーレートが小さい無線インターフェース部の通信状態が良好であると判断して選択してもよい。
【００３２】
本実施形態のマルチサービス端末ＭＳ４００によれば、無線ＬＡＮインターフェース部４０２及びＰＨＳインターフェース部４０４が受信する電界レベルに応じて無線インターフェース部を選択するので、通信状態が良好な無線インターフェース部を選択することができ、常に品質のよい通信を行うことができる。
【００３３】
図５は、本実施形態に係る通信システムの通信フローの概要を示す。ステップ１−１、２−１、３−１、及び４−１は、無線ＬＡＮインターフェース部４０２及び無線ＬＡＮアクセスポイントＡＰ２００を用いた場合の通信フローである。ステップ１−２、２−２、３−２、及び４−２は、ＰＨＳインターフェース部４０４及びＰＨＳ親局ＣＳ３００を用いた場合の通信フローである。図６、図７、図８及び図９を参照して、図５に示した各ステップにおけるマルチサービス端末ＭＳ４００又はゲートウェイＧＷ１００の動作フロー示す。
【００３４】
図６は、ステップ１−１又は１−２におけるマルチサービス端末ＭＳ４００の動作フローを示す。アプリケーション部４０８は、マルチサービス端末ＭＳ４００に割り当てられたグローバルＩＰアドレスを送信元アドレスとするグローバルＩＰヘッダをＩＰデータに付加し、グローバルＩＰパケットを生成してアドレス変換部４１０に渡す（ステップ１０）。そして、通信方式選択部４０６は、無線ＬＡＮインターフェース部４０２が無線ＬＡＮアクセスポイントＡＰ２００から受信する電界レベル、及びＰＨＳインターフェース部４０４がＰＨＳ親局ＣＳ３００から受信する電界レベルのうち閾値以上の無線インターフェース部を判断し、無線ＬＡＮインターフェース部４０２又はＰＨＳインターフェース部４０４を選択する（ステップ１２）。
【００３５】
ステップ１２において、通信方式選択部４０６が無線ＬＡＮインターフェース部４０２を選択した場合、アドレス変換部４１０は、無線ＬＡＮ用のローカルＩＰヘッダ、即ち無線ＬＡＮインターフェース部４０２に割り当てられたローカルＩＰアドレスを送信元アドレスとするローカルＩＰヘッダで、アプリケーション部４０８が生成したグローバルＩＰパケットをカプセル化し、ローカルＩＰパケットを生成する（ステップ１４）。
【００３６】
ステップ１２において、通信方式選択部４０６がＰＨＳインターフェース部４０４を選択した場合、アドレス変換部４１０は、ＰＨＳ用のローカルＩＰヘッダ、即ちＰＨＳインターフェース部４０４に割り当てられたローカルＩＰアドレスを送信元アドレスとするローカルＩＰヘッダで、アプリケーション部４０８が生成したグローバルＩＰパケットをカプセル化し、ローカルＩＰパケットを生成する（ステップ１６）。
【００３７】
そして、無線ＬＡＮインターフェース部４０２又はＰＨＳインターフェース部４０４は、アドレス変換部４１０が生成したローカルＩＰパケットを送出する（ステップ１８）。
【００３８】
図７は、ステップ２−１又は２−２におけるゲートウェイＧＷ１００の動作フローを示す。アドレス変換部１０６は、ローカルＩＰ処理部１０４が受信したローカルＩＰパケットのローカルＩＰヘッダを取り除き、グローバルＩＰパケットを生成する（ステップ２０）。そして、アドレス変換部１０６は、ローカルＩＰヘッダの送信元アドレスであるローカルＩＰアドレスと、グローバルＩＰヘッダの送信元アドレスであるグローバルＩＰアドレスとの組をアドレス格納部１０８に登録する（ステップ２２）。そして、グローバルＩＰ処理部１０２は、グローバル網へグローバルＩＰパケットを送出し、通信相手ノードＣＮ５００に送信する（ステップ２４）。
【００３９】
図８は、ステップ３−１又は３−２におけるゲートウェイＧＷ１００の動作フローを示す。アドレス変換部１０６は、グローバルＩＰ処理部１０２が通信相手ノードＣＮ５００から受信したグローバルＩＰパケットのグローバルＩＰヘッダの送信元アドレスであるグローバルＩＰアドレスから、当該グローバルＩＰアドレスに対応づけてアドレス格納部１０８が格納するローカルＩＰアドレスを取得する（ステップ３０）。そして、アドレス変換部１０６は、取得したローカルＩＰアドレスを含むローカルＩＰヘッダで、グローバルＩＰ処理部１０２が取得したグローバルＩＰパケットをカプセル化し、ローカルＩＰパケットを生成する（ステップ３２）。そして、ローカルＩＰ処理部１０４は、ローカル網へローカルＩＰパケットを送出し、無線ＬＡＮアクセスポイントＡＰ２００又はＰＨＳ親局ＣＳ３００を介してマルチサービス端末ＭＳ４００に送信する（ステップ３４）。
【００４０】
図９は、ステップ４−１又は４−２におけるマルチサービス端末ＭＳ４００の動作フローを示す。アドレス変換部４１０は、無線ＬＡＮインターフェース部４０２又はＰＨＳインターフェース部４０４が受信したローカルＩＰパケットのローカルＩＰヘッダを取り除き、グローバルＩＰパケットを生成する（ステップ４０）。そして、アプリケーション部４０８は、アドレス変換部４１０が生成したグローバルＩＰパケットを処理する（ステップ４２）。
【００４１】
本実施形態の通信システムによれば、マルチサービス端末ＭＳ４００は、無線ＬＡＮインターフェース部４０２及びＰＨＳインターフェース部４０４のうち通信状態が良好な無線インターフェース部を簡便かつ適切に選択し、無線ＬＡＮシステムとＰＨＳとの間でシームレスなハンドオーバを行うことができる。
【００４２】
図１０は、本実施形態に係るマルチサービス端末ＭＳ４００のハードウェア構成の一例を示す。マルチサービス端末ＭＳ４００は、ＣＰＵ７００、ＲＯＭ７０２、ＲＡＭ７０４、通信インタフェース７０６、ハードディスクドライブ７０８、データベースインタフェース７１０、フレキシブルディスクドライブ７１２、及びＣＤ−ＲＯＭドライブ７１４を備える。ＣＰＵ７００は、ＲＯＭ７０２及びＲＡＭ７０４に格納されたプログラムに基づいて動作し、各部の制御を行う。通信インタフェース７０６は、ローカル網を介して他の通信機器と通信する。データベースインタフェース７１０は、データベースへのデータの書込、及びデータベースの内容の更新を行う。
【００４３】
フレキシブルディスクドライブ７１２は、フレキシブルディスク７２０からデータ又はプログラムを読み取りＣＰＵ７００に提供する。ＣＤ−ＲＯＭドライブ７１４は、ＣＤ−ＲＯＭ７２２からデータ又はプログラムを読み取りＣＰＵ７００に提供する。データベースインタフェース７１０は、各種データベース７２４と接続してデータを送受信する。
【００４４】
マルチサービス端末ＭＳ４００に提供されるプログラムは、フレキシブルディスク７２０又はＣＤ−ＲＯＭ７２２等の記録媒体に格納されて利用者によって提供される。記録媒体に格納されたプログラムは圧縮されていても非圧縮であってもよい。プログラムは記録媒体から読み出され、ＣＰＵ７００により実行される。
【００４５】
記録媒体に格納されて提供されるプログラム、即ちマルチサービス端末ＭＳ４００にインストールされるプログラムは、機能構成として、無線ＬＡＮインターフェースモジュール、ＰＨＳインターフェースモジュール、通信方式選択モジュール、アプリケーションモジュール、及びアドレス変換モジュールを有する。各モジュールがマルチサービス端末ＭＳ４００に働きかけて行わせる動作は、図１から図９において説明したマルチサービス端末ＭＳ４００における、対応する部材の動作と同一であるから、説明を省略する。
【００４６】
記録媒体の一例としてのフレキシブルディスク７２０又はＣＤ−ＲＯＭ７２２には、本出願で説明した全ての実施形態におけるマルチサービス端末ＭＳ４００の動作の一部又は全ての機能を格納することができる。
【００４７】
これらのプログラムは記録媒体から直接ＲＡＭ７０４に読み出されて実行されても、一旦ハードディスクにインストールされた後にＲＡＭに読み出されて実行されてもよい。更に、上記プログラムは単一の記録媒体に格納されても複数の記録媒体に格納されてもよい。また、暗号化、圧縮等により符号化された形態で格納されていてもよい。
【００４８】
記録媒体としては、フレキシブルディスク、ＣＤ−ＲＯＭの他にも、ＤＶＤ、ＰＤ等の光学記録媒体、ＭＤ等の光磁気記録媒体、テープ媒体、磁気記録媒体、ＩＣカードやミニチュアカードなどの半導体メモリ等を用いることができる。また、専用通信ネットワークやインターネットに接続されたサーバシステムに設けたハードディスク又はＲＡＭ等の格納装置を記録媒体として使用し、ローカル網を介してプログラムをマルチサービス端末ＭＳ４００に提供してもよい。
【００４９】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００５０】
【発明の効果】
上記説明から明らかなように、本発明によれば、通信状態が良好な無線インターフェース部を簡便かつ適切に選択し、無線通信方式が異なる通信システム間でシームレスなハンドオーバを行う通信端末及び通信システムを提供できる。
【図面の簡単な説明】
【図１】通信システムの構成の一例を示す図である。
【図２】通信システムにおいて授受されるパケットのデータフォーマットを示す図である。
【図３】アドレス格納部１０８のデータフォーマットの一例を示す図である。
【図４】通信方式選択部４０６による通信方式の選択方法の一例を示す図である。
【図５】通信システムの通信フローの概要を示す図である。
【図６】ステップ１−１又は１−２におけるマルチサービス端末ＭＳ４００の動作フローを示す図である。
【図７】ステップ２−１又は２−２におけるゲートウェイＧＷ１００の動作フローを示す図である。
【図８】ステップ３−１又は３−２におけるゲートウェイＧＷ１００の動作フローを示す図である。
【図９】ステップ４−１又は４−２におけるマルチサービス端末ＭＳ４００の動作フローを示す図である。
【図１０】マルチサービス端末ＭＳ４００のハードウェア構成の一例を示す図である。
【符号の説明】
１００　ゲートウェイＧＷ
１０２　グローバルＩＰ処理部
１０４　ローカルＩＰ処理部
１０６　アドレス変換部
１０８　アドレス格納部
２００　無線ＬＡＮアクセスポイントＡＰ
３００　ＰＨＳ親局ＣＳ
４００　マルチサービス端末ＭＳ
４０２　無線ＬＡＮインターフェース部
４０４　ＰＨＳインターフェース部
４０６　通信方式選択部
４０８　アプリケーション部
４１０　アドレス変換部
５００　通信相手ノードＣＮ
６００　グローバルＩＰヘッダ
６０２　ＩＰデータ
６０４　グローバルＩＰパケット
６０６　ローカルＩＰヘッダ
６０８　ローカルＩＰパケット
７００　ＣＰＵ
７０２　ＲＯＭ
７０４　ＲＡＭ
７０６　通信インタフェース
７０８　ハードディスクドライブ
７１０　データベースインタフェース
７１２　フレキシブルディスクドライブ
７１４　ＣＤ−ＲＯＭドライブ
７２０　フレキシブルディスク
７２２　ＣＤ−ＲＯＭ
７２４　各種データベース
【図１】
2004129079.tif 000003
【図２】
2004129079.tif 000004
【図３】
2004129079.tif 000005
【図４】
2004129079.tif 000006
【図５】
2004129079.tif 000007
【図６】
2004129079.tif 000008
【図７】
2004129079.tif 000009
【図８】
2004129079.tif 000010
【図９】
2004129079.tif 000011
【図１０】
2004129079.tif 000012